(57)【要約】  【課題】レール部の上面を３分割し着脱自在にした屋外開口用下枠フラットサッシのレール部着脱自在構造を提供する。  【解決手段】レール部上面構成部材は、レール部全長にわたって３分割された第１〜第３の部材から構成され、前記第１部材９０，１００は前記第２部材９１，１０１と前記第３部材９２，１０２との間に位置し、前記障子をサッシ長手方向の一方側のレール部上に寄せ、前記第２部材９１，１０１を着脱自在とし、また、他方側のレール部上に寄せ、前記第３部材９２，１０２を着脱自在とするように第１〜第３部材の長さを設定し、さらに、前記レール溝には、レール部上面構成部材の小口断面に一致する嵌合突起部を有する、第１〜第３部材と嵌着自在な嵌合部材１１０を設け、当該嵌合部材上で、前記第１部材と第２部材、並びに第１部材と第２部材とを衝合させた。  【選択図】図２１
2008308986.tif 000002
【特許請求の範囲】
【請求項１】
枠のレール部に沿って、障子下框に設けられた戸車を介して障子が左右にスライドするように構成し、かつ前記レール部の上面を含んで前記下枠の上面全体を略フラットに形成し、前記レール部は、下枠内の中空部上方に設けられた一対の立ち上がり片でレール溝を形成し、かつこのレール溝に着脱自在に前記レール部の上面構成部材を嵌合することで形成される外部開口用下枠フラットサッシのレール部着脱自在構造であって、
前記レール部の上面構成部材は、３分割された第１〜第３の部材を有し、
前記第１部材は前記第２部材と前記第３部材との間に位置し、前記レール溝に沿ってスライド自在に取り付けられ、
前記障子をサッシ長手方向の一方側のレール部上に寄せたとき、前記第２部材が着脱自在となり、また、前記障子を他方側のレール部上に寄せたとき、前記第３部材が着脱自在とするように、前記第１〜第３部材の長さを設定し、
前記第１部材の前記第２部材及び前記第３部材両端部に、嵌合突起部を上部に有し、ベース部を下部に有し、これらを繋ぐ起立部を有する嵌合部材がそれぞれ設けられ、
前記嵌合突起部の外形は、前記第１〜第３の部材の前記戸車の走行面を構成する壁を構成部とする小口断面空間と一致し、前記第１部材の各端部に、それらの小口断面空間内に前記嵌合突起部の端部が嵌入され、
前記第１部材の底壁面は全長にわたって又は端部において切欠され、その端部の切欠部に前記起立部が配置され、
前記嵌合突起部の他端部が前記第２部材及び前記第３部材側にそれぞれ突出した状態で、前記ベース部が前記レール溝内に固定され、この固定された前記嵌合部材に対し、前記第２部材及び前記第３部材が、それらの小口断面空間に前記嵌合突起部が嵌入するように、着脱自在に前記第１部材に対してそれぞれ取り付けられており、かつ、前記第１部材に対して、前記第２部材及び前記第３部材がそれぞれ取り付けられた状態で、それぞれの端面が衝合するように構成されている、
ことを特徴とする外部開口用下枠フラットサッシのレール部着脱自在構造。
【請求項２】
前記嵌合突起部の、前記第２部材及び前記第３部材側にそれぞれ突出する前記他端部の下面が、前記端部側に向かって下り勾配のテーパー面とされている請求項１記載の外部開口用下枠フラットサッシのレール部着脱自在構造。
【請求項３】
前記ベース部は前記第２部材及び前記第３部材側にそれぞれ延在し、その延在した端部に、上下に貫通するビス孔が形成され、このビス孔はスリットを介して前記ベース部の先端に開口しており、前記ビス孔へのビスに螺入による螺入力が前記スリットを挟む先端部を拡開し、前記レール溝の一対の立ち上がり片を押圧するようにしてある請求項１または２記載の外部開口用下枠フラットサッシのレール部着脱自在構造。
【発明の詳細な説明】
【技術分野】
【０００１】
本発明は、建築物の屋外開口に設置する、下枠の上面全体を略フラットに形成した屋外開口用下枠フラットサッシのレール部着脱自在構造に関する。
【背景技術】
【０００２】
従来、建築物の屋外開口部に設置されるサッシの下枠には、当該サッシを構成する障子を左右にスライドさせるために、障子の下框に設けられた戸車を回動させるリブ状のレール部が形成されている。
通常、このリブ状のレール部並びに内障子及び外障子の当該レール部によって区画されたレール溝は、サッシの雨仕舞の観点より、室外側よりも室内側が高くなるように段差を設けて形成されている。すなわち、障子や窓ガラスに吹き付けられた雨水は、障子や窓ガラスに沿って落下し、下枠のレール溝に溜まるが、このレール溝が室外側よりも室内側が高くなるように段差を設けて形成されているため、レール溝に溜まった雨水の自重により室内側への雨水の侵入を防ぎ、またレール溝に溜まった雨水は屋外へ排出されるようになっている。
したがって、このレール溝には、塵、埃等が溜まりやすいが、当該上部は開放されているため、清掃が容易であった。
【０００３】
一方、近年では、バリアフリー若しくはユニバーサルデザインの観点から、リブ状のレール部を室内側と室外側で段差を設けることなく略フラットに配設し、さらにレール部をリブ状でなくレ−ル部の上面を略フラットにした下枠フラットサッシが開発されている（例えば、特許文献１参照）。
このレール部の上面を略フラットにした下枠フラットサッシでは、一定以上の水密性、気密性を確保することが課題となっており、室内への雨水の侵入を防ぐために、障子と下枠との間を横タイト材を介して気密にする等気圧構造を採用している。そして、この等圧構造による防水性を確実なものとするために、気密ラインを形成する下枠上面からの高排水性を確保する必要があり、レール部の下部に設けたレール溝や、排水凹部を設けている。これらレール溝やレール溝に隣接する排水凹部に溜まった塵や埃等を掃除するため、当該レール部の上面を取り外し可能にした構造になっている（例えば、特許文献２参照）。具体的には、図２６に示すように、レール溝と嵌合することによりレール部を形成する上面は、室内側から室外側を見て、左側上面構成部材１４０、中央上面構成部材１４１及び右側上面構成部材１４２に３分割されており、これら上面構成部材が着脱自在構造になっている。
【特許文献１】特許第３３３０５８８号（６頁、図１）
【特許文献２】特許第３３３２９１４号（８、９頁、図４、８、１４）
【発明の開示】
【発明が解決しようとする課題】
【０００４】
しかしながら、上記サッシのレール部の上面を取外し可能にしたサッシ構造には、左側上面構成部材１４０の右端部と中央上面構成部材１４１の左端部、並びに中央上面構成部材１４１の右端部と右側上面構成部材１４２の左端部の固定に問題がある。
これら端部同士の固定は、中央上面構成部材１４１をレール溝面にビス留めして固定した上で、左側上面構成部材１４０のサッシ縦枠側の先端部に取付けた図示しない弾性片を有する第１端部塞ぎ材１４３及び第２端部塞ぎ材１４４、並びに右側上面構成部材１４２のサッシ縦枠側の先端部に取付けた図示しない弾性片を有する第１端部塞ぎ材１４３及び第２端部塞ぎ材１４４の、サッシ縦枠７１，７２により押圧される力により、上記各端部を衝合させているのである。
【０００５】
一方、特許文献２では、目板材の端部に設けたスライド面より突出させたツマミ部材が、ストッパーとして兼用するものである。しかし、ツマミ部材はスライド面より突出しているが故に、人や物が当たったとき外れやすく、さりとて外れ難く固定を図る場合には、目板材を着脱作業に支承をきたす。
そこで、本発明の主たる課題は、障子に設けられた戸車が移動するレール部のレール溝や、レール溝に隣接する排水溝に溜まった塵や埃等を掃除するため、当該レール部の上面を３分割し着脱自在にした屋外開口用下枠フラットサッシのレール部着脱自在構造を提供することにある。
なお、目板材となるレール部材とストッパーとは分離し、ストッパーは開口部縦枠に隣接して下枠に設け、望ましくはそのままでは上方へ抜けない状態で固定的に設け、ストッパーの外れ止めを図ることができ、目板材となるレール部材の着脱作業の円滑性を阻害することがない屋外開口用下枠フラットサッシのレール部着脱自在構造も提供される。
【０００６】
他方、目板材の端部に設けたスライド面より突出しないように配置してツマミ部材には、その上面にツマミ凹部を形成し、このツマミ凹部に指先を入れて外すように構成してある。しかし、そのツマミ凹部には、ゴミが貯まり易く、美観を損ねる。
そこで、端塞ぎ材の上面には指先を入れるツマミ凹部を形成しないので、ゴミの堆積がなく、使用中の美観の低下がなく、しかも目板材となるレール部材の取り外しがより容易となる着脱自在構造も提供される。
【課題を解決するための手段】
【０００７】
上記課題を解決した本発明は、次のとおりである。
＜請求項１記載の発明＞
請求項１記載の発明は、枠のレール部に沿って、障子下框に設けられた戸車を介して障子が左右にスライドするように構成し、かつ前記レール部の上面を含んで前記下枠の上面全体を略フラットに形成し、前記レール部は、下枠内の中空部上方に設けられた一対の立ち上がり片でレール溝を形成し、かつこのレール溝に着脱自在に前記レール部の上面構成部材を嵌合することで形成される外部開口用下枠フラットサッシのレール部着脱自在構造であって、
前記レール部の上面構成部材は、３分割された第１〜第３の部材を有し、
前記第１部材は前記第２部材と前記第３部材との間に位置し、前記レール溝に沿ってスライド自在に取り付けられ、
前記障子をサッシ長手方向の一方側のレール部上に寄せたとき、前記第２部材が着脱自在となり、また、前記障子を他方側のレール部上に寄せたとき、前記第３部材が着脱自在とするように、前記第１〜第３部材の長さを設定し、
前記第１部材の前記第２部材及び前記第３部材両端部に、嵌合突起部を上部に有し、ベース部を下部に有し、これらを繋ぐ起立部を有する嵌合部材がそれぞれ設けられ、
前記嵌合突起部の外形は、前記第１〜第３の部材の前記戸車の走行面を構成する壁を構成部とする小口断面空間と一致し、前記第１部材の各端部に、それらの小口断面空間内に前記嵌合突起部の端部が嵌入され、
前記第１部材の底壁面は全長にわたって又は端部において切欠され、その端部の切欠部に前記起立部が配置され、
前記嵌合突起部の他端部が前記第２部材及び前記第３部材側にそれぞれ突出した状態で、前記ベース部が前記レール溝内に固定され、この固定された前記嵌合部材に対し、前記第２部材及び前記第３部材が、それらの小口断面空間に前記嵌合突起部が嵌入するように、着脱自在に前記第１部材に対してそれぞれ取り付けられており、かつ、前記第１部材に対して、前記第２部材及び前記第３部材がそれぞれ取り付けられた状態で、それぞれの端面が衝合するように構成されている、
ことを特徴とする外部開口用下枠フラットサッシのレール部着脱自在構造である。
【０００８】
（作用効果）
本発明では、障子に設けられた戸車が移動するレール部の上面が、着脱自在な上面構成部材で形成されているので、当該上面構成部材を取り外すことによって、レール溝やレール溝に隣接する排水溝に溜まった塵や埃等を箒で掃いたり、掃除機で吸取ったり、水で洗い流すことにより清掃することが容易にできる。
【０００９】
また、この上面構成部材は、レール部全長にわたって３分割された第１〜第３の部材から構成され、かつ障子をサッシ長手方向の一方側のレール部上に寄せ、前記第２部材を着脱自在とし、また、他方側のレール部上に寄せ、前記第３部材を着脱自在とするように第１〜第３部材の長さが設定されているので、障子を取り外すことなく、第２及び第３部材を取り外すことができるし、また取り付けることも可能である。そして、第１部材については、障子を開口部枠から取り外すことにより、着脱が可能である。
【００１０】
なお、レール部の上面構成部材は、障子開放時の開放範囲を規制するストッパーとは別体とされ、ストッパーに対向する前記部材は対向端部に端塞ぎ材を有し、この端塞ぎ材が前記ストッパーに対して当接する関係にある。すなわち、目板材となるレール部材とストッパーとは分離し、ストッパーは開口部縦枠に隣接して下枠に設け、望ましくはそのままでは上方へ抜けない状態で固定的に設け、ストッパーの外れ止めを図ることができ、目板材となるレール部材の着脱作業の円滑性を阻害することがない。
【発明の効果】
【００１１】
本発明によれば、障子に設けられた戸車が移動するレール部の上面を３分割して着脱自在にした構造とすることにより、当該レール部のレール溝や、レール溝に隣接する排水溝に溜まった塵や埃等を容易に掃除することができる。
【００１２】
なお、目板材となるレール部材とストッパーとは分離し、ストッパーは開口部縦枠に隣接して下枠に設け、望ましくはそのままでは上方へ抜けない状態で固定的に設け、ストッパーの外れ止めを図ることができ、目板材となるレール部材の着脱作業の円滑性を阻害することがない。
【００１３】
他方、端塞ぎ材の上面には指先を入れるツマミ凹部は形成しないで、ゴミの堆積がなく、使用中の美観の低下がなく、しかも目板材となるレール部材の取り外しがより容易となる。
【発明を実施するための最良の形態】
【００１４】
次に、本発明の実施の形態を説明するに先立って、理解を深めるために、実施の形態に含まれる実施態様をあらかじめ説明しておく。
『実施態様の説明』
前述の特許文献１のように、障子下框の室内側の垂下片と横タイト材のみによる水密性と気密性の確保には、以下のような問題点がある。
第１に、垂下片（スライド片）が室内側にのみ形成されているので、図２７ａの点線で囲った範囲に示すように、内障子１及び外障子２や窓ガラス３に吹き付けられた雨水は、障子下框１ａ、２ａの下部の室外側から侵入し、障子下框垂下片１ｃ、２ｃと横タイト材７６によるタイトラインよりも上に位置する下枠レール部の上面４，５に溜まりやすいので、当該横タイト材７６の負担が大きく、水密性に不利である。
第２に、下枠レール部上面４、５まで雨水が侵入し、かつ溜まるので、引き違いサッシの内障子１等の召し合わせ框の室外側下部や当該框の底部における水密性や気密性の確保が難しくなっている。
第３に、図２８ａの点線で囲った範囲に示すように、下枠レール部上面４，５には埃や塵も溜まりやすく、また、これらが溜まった下枠レール部上面４，５を障子の戸車６が移動することにより、人目につきやすいレール部上面４，５に細かな傷がつき、美感等の観点から、頻繁に補修や交換等のメンテナンスを行う必要が生じる。
第４に、内障子及び外障子の室外側に垂下片が形成されていないので、図２９ａに示すように、室外側から内障子及び外障子下框１ａ，２ａの底部と下枠レール部の上面４，５との隙間に、バール７等が差し込まれて、障子が持ち上げられることによって内障子及び外障子１，２が外され、屋外からの侵入を容易にさせるという防犯上の危険性を伴っている。
【００１５】
以下に実施の態様示すと、次のとおりである。
＜実施の態様１＞
実施の態様１は、下枠のレール部に沿って、障子下框に設けられた戸車を介して左右にスライドする障子を有し、かつ前記レール部の上面を含んで前記下枠の上面全体を略フラットに形成した、外部開口用下枠フラットサッシであって、
前記下枠内に外部と連通する排水口を有する中空部を形成し、
前記障子はその下框の室内側垂下片及び室外側垂下片を形成し、
前記中空部上方に、上面が略フラットな前記レール部と、このレール部の室内側と室外側とにそれぞれ前記レール部と略同じ高さの室内側立ち上がり片及び室外側立ち上がり片とを並設し、
前記室内側立ち上がり片と前記レール部側面とで前記室内側垂下片の室内側ガイド溝を、並びに前記室外側立ち上がり片と前記レール部側面とで前記室外側垂下片の室外側ガイド溝を、それぞれ形成し、
前記室内側垂下片と前記室内側立ち上がり片との間に横タイト材を摺接するように介在させ、
前記室外側ガイド溝に水抜き孔を設けて、前記下枠中空部を介して外部と連通させる
ことを特徴とする外部開口用下枠フラットサッシである。
【００１６】
（作用効果）
この実施の態様１では、障子の下框の室内側だけでなく、室外側にも垂下片が形成されているので、この室外側垂下片によって、室外側の障子面や窓ガラスに沿って落下した雨水の室内への侵入が拒まれる。すなわち、当該室外側垂下片は実質的な水切りとして機能する。したがって、この室外側垂下片で水切りを行い、かつ室内側垂下片と横タイト材とで水密性や気密性を確実に確保することができる。具体的には、室外側垂下片で水切りが行われることにより、雨水の大半は室外側ガイド溝に流れ落ち下枠中空部を介して外部に排出されるので、横タイト材によるタイトラインよりも上に位置するレール部の上面に雨水が浸入しにくく、仮にレール部の上面に雨水が浸入した場合でも、室内側垂下片と横タイト材により室内へ漏水をすることなく、雨水は室内側ガイド溝に落ち、下枠中空部を介して外部に排出される。つまり、水切りラインとタイトラインを別々に設ける二重構造により、タイトラインの負担を軽減させ、水密性や気密性を高めている。
【００１７】
また、室外側垂下片を設けレール部の上面への雨水の侵入を少なくしたことにより、引き違いサッシの内障子や、片引きサッシ又は引き分けサッシの嵌め殺し障子の、召し合わせ框の室外側下部や当該框の底部における水密性や気密性の確保がしやすくなっている。すなわち、レール部の上面に位置する、召し合わせ框の底部の水密性や気密性は高くなっており、また、室外側垂下片を設けたことにより、召し合わせ框の室外側下部の雨仕舞を、その構造を複雑にせずに確実に行うことができる。
【００１８】
さらに、室外側垂下片を設けたことにより、レール部の上面に埃や塵が溜まりにくく、メンテナンス性にも優れており、また、外部からバール等を差し込まれるような隙間がないため，防犯性にも優れている。
【００１９】
＜実施の態様２＞
実施の態様２は、下枠のレール部に沿って、障子下框に設けられた戸車を介して左右にスライドする障子を有し、かつ前記レール部の上面を含んで前記下枠の上面全体を略フラットに形成した、内外障子からなる引き違いサッシにおける外部開口用下枠フラットサッシであって、
前記下枠内に外部と連通する排水口を有する中空部を形成し、
前記内障子及び外障子は、それぞれの下框に室内側垂下片及び室外側垂下片を形成し、
サッシ下枠を室内側から室外側を見て、前記中空部上方に、第１の立ち上がり片、内障子用のレール部、第２の立ち上がり片、外障子用のレール部及び第３の立ち上がり片を形成し、かつ前記第１〜第３の立ち上がり片は前記レール部と略同じ高さであり、
前記内障子用のレール部室内側側面と前記第１の立ち上がり片とで内障子の前記室内側垂下片の室内側ガイド溝を、及び前記内障子用のレール部室外側側面と前記第２の立ち上がり片とで内障子の前記室外側垂下片の室外側ガイド溝を形成し、
また、前記外障子用のレール部室内側側面と前記第２の立ち上がり片とで外障子の前記室内側垂下片の室内側ガイド溝を、及び前記外障子用のレール部室外側側面と前記第３の立ち上がり片とで外障子の前記室外側垂下片の室外側ガイド溝を形成し、
前記内障子の室内側垂下片と前記第１の立ち上がり片との間、及び前記外障子の室内側垂下片と前記第２の立ち上がり片との間とに横タイト材を摺接するように介在させ、
前期内障子及び前記外障子用の室外側ガイド溝と、前記外障子用の室内側ガイド溝とに水抜き孔を設けて、前記下枠中空部を介して外部と連通させる
ことを特徴とする外部開口用下枠フラットサッシである。
【００２０】
（作用効果）
実施の態様２では、内外障子からなる引き違いサッシにおける内外障子の下框の室内側だけでなく、室外側にも垂下片が形成されているので、この室外側垂下片によって、室外側の障子面や窓ガラスに沿って落下した雨水の室内への侵入が拒まれる。すなわち、当該内障子及び外障子の室外側垂下片は実質的な水切りとして機能する。したがって、これら室外側垂下片で水切りを行い、かつ室内側垂下片と横タイト材とで水密性や気密性を確実に確保することができる。具体的には、内障子及び外障子の室外側垂下片で水切りが行われることにより、雨水の大半はそれぞれの室外側ガイド溝に流れ落ち下枠中空部を介して外部に排出されるので、横タイト材によるタイトラインよりも上に位置するレール部の上面に雨水が浸入しにくく、仮にレール部の上面に雨水が浸入した場合でも、内障子及び外障子の室内側垂下片と横タイト材により室内へ漏水をすることなく、雨水はそれぞれの室内側ガイド溝に落ち、下枠中空部を介して外部に排出される。つまり、水切りラインとタイトラインを別々に設ける二重構造により、タイトラインの負担を軽減させ、水密性や気密性を高めている。
【００２１】
また、内障子及び外障子の室外側垂下片を設けレール部の上面への雨水の侵入を少なくしたことにより、引き違いサッシの内障子の召し合わせ框の室外側下部や当該框の底部における水密性や気密性の確保がしやすくなっている。すなわち、内障子用のレール部の上面に位置する、召し合わせ框の底部の水密性や気密性は高くなっており、また、内障子の下框に室外側垂下片を設けたことにより、召し合わせ框の室外側下部の雨仕舞を、その構造を複雑にせずに確実に行うことができる。
【００２２】
さらに、内障子及び外障子の下框に室外側垂下片を設けたことにより、レール部の上面に埃や塵が溜まりにくく、メンテナンス性にも優れており、また、外部からバール等を差し込まれるような隙間がないため，防犯性にも優れている。
【００２３】
＜実施の態様３＞
実施の態様３は、内外障子からなる引き違いサッシにおける内障子の召し合わせ框の室外面に、当該室外面と外障子の召し合わせ框の室内面との間を気密にする縦タイト材を形成し、
内障子の召し合わせ框の室外面下部及び当該框底部にブロック体を設け、当該框室外面下部と外障子の召し合わせ框の室内面下部との間を気密にするとともに、当該内障子の召し合わせ框底部と内障子用のレール部上面との間を気密にし、
また、前記引き違いサッシを閉じた状態で前記内障子の召し合わせ框の底部に位置する、レール部の室内側及び室外側のガイド溝にタイト材を埋設し、
さらに、前記引き違いサッシを閉じた状態で前記縦タイト材、前記ブロック体及び前記埋設されたタイト材により形成されたタイトラインよりも外部かつ近接した位置の下枠に、水抜き孔を設けた実施の態様１又は２記載の外部開口用下枠フラットサッシである。
【００２４】
（作用効果）
内外障子からなる引き違いサッシにおける内障子の召し合わせ框室外面と外障子の召し合わせ框の室内面との間を縦タイト材により気密状態にすることによって、内障子の召し合わせ框及び外障子の召し合わせ框に吹き付けられた雨水は、室内への侵入が拒まれ、それぞれの召し合わせ框に沿って落下する。
【００２５】
次に、それぞれの召し合わせ框に沿って落下した雨水や召し合わせ框下部に吹き付けられた雨水に対しては、内障子の召し合わせ框室外面下部と外障子の召し合わせ框の室内面下部との間の隙間部分を気密にするブロック体により、室内への漏水を防止することができる。加えて、このブロック体により、内障子の召し合わせ框底部と内障子用のレール部上面との間が気密状態にされるので、下枠レール部の上面からの雨水の侵入を防止することができる。
【００２６】
また、前記引き違いサッシを閉じた状態で前記内障子の召し合わせ框の底部に位置するレール部の室内側及び室外側のガイド溝にタイト材を埋設することにより、ガイド溝から室内への雨水の流れ込みを防止することができる。
【００２７】
さらに、前記縦タイト材、前記ブロック体及び前記埋設されたタイト材により形成されたタイトラインで気密と水密を確実にするだけではなく、このタイトラインよりも外部かつ近接した位置の下枠に設けた水抜き孔により、下枠中空部を介して雨水の外部への排出を促進することで、室内への漏水防止効果を高めている。
【００２８】
＜実施の態様４＞
実施の態様４は、片引きサッシ又は引き分けサッシにおける嵌め殺し部の縦枠の室外面に、当該室外面と外障子の召し合わせ框の室内面との間を気密にする縦タイト材を形成し、
前記嵌め殺し部の縦枠の室外面下部に、当該室外面下部と外障子の召し合わせ框の室内面下部との間を気密にするブロック体を設け、
また、前記片引きサッシ又は引き分けサッシにおける外障子を閉じた状態で、前記縦タイト材及び前記ブロック体により形成されたタイトラインよりも外部かつ近接した位置の下枠に、水抜き孔を設けた実施の態様１記載の外部開口用下枠フラットサッシである。
【００２９】
（作用効果）
片引きサッシ又は引き分けサッシにおける嵌め殺し分の縦枠の室外面と外障子の召し合わせ框の室内面との間を縦タイト材により気密状態にすることによって、嵌め殺し部の縦枠及び外障子の召し合わせ框に吹き付けられた雨水は、室内への侵入が拒まれ、それぞれの召し合わせ框に沿って落下する。
【００３０】
次に、それぞれの召し合わせ框に沿って落下した雨水や召し合わせ框下部に吹き付けられた雨水に対しては、嵌め殺し部の縦枠の室外面下部と外障子の召し合わせ框の室内面下部との間の隙間部分を気密にするブロック体により、室内への漏水を防止することができる。
【００３１】
また、前記縦タイト材及び前記ブロック体により形成されたタイトラインで気密と水密を確実にするだけではなく、このタイトラインよりも外部かつ近接した位置の下枠に設けた水抜き孔により、下枠中空部を介して雨水の外部への排出を促進することで、室内への漏水防止効果を高めている。
【００３２】
＜実施の態様５＞
実施の態様５は、前記レール部は、一対の立ち上がり片で室内側及び室外側側面を形成し、かつ着脱自在なレール部の上面構成部材を前記レール部の室内側及び室外側側面と嵌合することで形成される、実施の態様１乃至４のいずれかの１項に記載の外部開口用下枠フラットサッシである。
【００３３】
（作用効果）
レール部の上面を略フラットにした下枠フラットサッシでは、室内への雨水の侵入を防ぐために、一定以上の水密性、気密性を確保するとともに、防水効果を高めるために、下枠に水抜き孔を設けてタイトラインの外側で排水を促進させる必要がある。
しかし、水抜き孔にゴミ等が詰まり、外部に通じている中空部に排水不可能となってしまっては、タイトラインを超えて室内に雨水が侵入する虞が生じる。
そこで、レール部の上面を取外し可能な構造としてレール部の下部のメンテナンスを可能とし、このレール部の下部を清掃することにより、水抜き孔の詰まりを防止し、もって防水効果を確実なものとし、併せてゴミ等の蓄積による不衛生状態を防止することができる。
【００３４】
＜実施の態様６＞
引き違いサッシを閉じた状態で内障子の召し合わせ框の底部に位置する、レール部の前記上面構成部材並びに前記レール部の室内側及び室外側側面で囲まれる範囲に、タイト材が埋設されている実施の態様５記載の外部開口用下枠フラットサッシである。
【００３５】
（作用効果）
引き違いサッシを閉じた状態で内障子の召し合わせ框の底部に位置する、レール部の前記上面構成部材並びに前記レール部の室内側及び室外側側面で囲まれる範囲に、タイト材が埋設されることにより、レール部下部に流れ込んだ雨水の室内への侵入が拒まれるため、防水効果を高めることができる。
【００３６】
『具体的な実施の形態』
以下、本発明の実施の形態について図面を参照しながら説明する。
本発明に係るサッシのレール部着脱自在構造を適用した一実施例である縦及び横断面図を、引き違いサッシについて図１、２に、片引きサッシについて図３、４に示す。図１〜４に示すように、当該サッシは、下枠１０、上枠７０、左縦枠７１及び右縦枠７２で枠体を形成し、この枠体に、引き違いサッシの場合には内障子３０及び外障子４０が装着され、又は片引きサッシ若しくは引き分けサッシの場合には、嵌め殺し障子６０及び外障子４０が装着され、当該サッシが構成される。
【００３７】
下枠１０の上面全体は略フラットに形成され、図６に示すように、室内の床面から下枠１０の上面、グレーチング７３、バルコニー７４に設けられたウッドデッキ７５等を略フラットに形成することができる。
【００３８】
以下に、本発明に係るサッシのレール部着脱自在構造を適用した、内障子３０及び外障子４０からなる引き違いサッシについて詳述することにする。
＜障子構造＞
図１，２に示すように、外障子４０は、外障子下框４１及び図示しない上框と、並びに外障子縦框４３及び召し合わせ框４４とで障子を形成し、框で四周を囲まれた内部にガラス等が装着される。また、外障子下框の底部４５には、戸車４６が設けられており、この戸車４６が下枠レール部の上面１２ａ、すなわちレール部上面構成部材である、第１部材、第２部材及び第３部材上を回動することにより、外障子４０が左右に移動する。
さらに、外障子下框４１には、室内側と室外側にそれぞれ垂下片４７，４８が延在している。上記障子の構造は、内障子３０においても、同様である。
【００３９】
本発明に係る内障子下框３６には室内側垂下片３２、４７が、外障子下框４１には室外側垂下片３３、４８が設けられているので、図２７ｂの点線で囲む範囲に示すように、室外側垂下片３３、４８によって、室外側の障子面や窓ガラスに沿って落下した雨水の室内への侵入が拒まれる。すなわち、室外側垂下片３３、４８は実質的な水切りとして機能している。
したがって、室外側垂下片３３、４８で水切りが行われることにより、雨水の大半は下枠室外側ガイド溝１７，１９に流れ落ち、中空部２１を介して外部に排出されるので、横タイト材７６によるタイトラインよりも上に位置するレール部の上面１１ａ、１２ａに雨水が浸入しにくくなっており、かつ室内側垂下片３２、４７と後述する横タイト材７６とで水密性や気密性を確実に確保することができる。
【００４０】
また、室外側垂下片３３、４８を設けたことにより、図２８ｂの点線で囲った範囲に示すように、レール部の上面１１ａ、１２ａに埃や塵が溜まりにくく、そのため戸車３１，４６移動等による傷もつきにくくメンテナンス性にも優れており、また、図２９ｂに示すように外部からバール７等を差し込まれるような隙間がなく、さらに、図２に示すように、サッシ右縦枠７２には、突出片７２ａを設けて内障子縦框戸とサッシ右縦枠との間にバール等が差し込まれる隙間をなくしており、同様に、外障子縦框４３とサッシ左縦枠７１との隙間もなくしているので防犯性にも優れている。
【００４１】
＜下枠構造＞
図５ａに示すように、下枠１０には、サッシ下枠を室内側から室外側を見て、第１の立ち上がり片１３、内障子３０に設けられた戸車３１が回動する内障子用のレール部１１、第２の立ち上がり片１４、及び外障子４０に設けられた戸車４６が回動する外障子用のレール部１２及び第３の立ち上がり片１５が形成されている。
【００４２】
図５ａに示すように、内障子用のレール部室内側側面１１ｂと第１の立ち上がり片１３とで内障子の室内側垂下片３２の室内側ガイド溝１６を、及び内障子用のレール部室外側側面１１ｃと第２の立ち上がり片１４とで内障子の室外側垂下片３３の室外側ガイド溝１７を形成している。なお、図５ａ中の斜線部分は、後述する水抜き孔、結露水孔、切欠きの部分を示しており、図５ｂには、水抜き孔２０ａ部分の部分断面を示している。
【００４３】
外障子用のレール部室内側側面１２ｂと第２の立ち上がり片１４とで外障子の室内側垂下片４７の室内側ガイド溝１８を、及び外障子用のレール部室外側側面１２ｃと第３の立ち上がり片１５とで外障子の室外側垂下片４８の室外側ガイド溝１９を形成している。これらガイド溝１６、１７、１８、１９は、排水溝としても機能しており、ガイド溝１６、１７、１８、１９には、雨水が流れ込むとともに、図２８ｂに示すように塵や埃も溜まるので、レール部の上面を取り外して、清掃する必要がある。
【００４４】
また、内障子の室内側垂下片３２と第１の立ち上がり片１３との間、及び外障子の室内側垂下片４７と第２の立ち上がり片１４との間を気密及び水密にするために、横タイト材７６が設けられており、この横タイト材７６とそれぞれの室内側垂下片３２，４７とが摺接及び密接することにより、下枠１０におけるタイトラインの一部が形成されている。
【００４５】
ここで、第２の立ち上がり片１４は、図５ａに示すように、排水溝としても機能するガイド溝１７とガイド溝１８とを区分けしている。この第２の立ち上がり片１４の上面１４ａは平面であり、かつ外障子用の横タイト材７６を取付けているので、実質的な外障子４０のタイトラインを形成している。好ましくは、横タイト材７６も上面１４ａと同一平面になるほうがよい。
【００４６】
さらに、内障子及び外障子用の下枠室外側ガイド溝１７，１９と外障子用の室内側ガイド溝１８には、溜まった雨水を排出する水抜き孔２０ａ、２０ｃ、２０ｄ、２０ｅが形成されており、水抜き穴２０ａ、２０ｃ、２０ｄ、２０ｅに落ちた雨水は、下枠内に形成された中空部２１に流れ落ち、この中空部２１は、排水口２２を介して外部と連通しているため、最終的に雨水は、外部に排出されることになる。同様に、結露水孔２０ｆにより、結露水は、結露水排水弁２０ｇを通って排水口２２を介して外部に排出される。
【００４７】
すなわち、一実施例であるサッシ構造では、内障子下框３６及び外障子下框４１に、室外側垂下片３３、４８が設けられているので、室外側垂下片３３、４８が実質的な水切りとして機能するが、仮にレール部の上面１１ａ、１２ａに雨水が浸入した場合でも、室内側垂下片３３，４７と横タイト材７６により室内へ漏水をすることなく、雨水は下枠室内側ガイド溝１６，１８に落ち、中空部２１を介して外部に排出される。つまり、図１６に示すように、水切りライン８４とタイトライン８５を別々に設ける二重構造により、タイトライン８５の負担を軽減させ、水密性や気密性を高めているのである。
【００４８】
図８ａ、８ｂは、下枠レール部の上面構成部材２４，２５を取外した状態の平面図及び下枠断面図を示している。下枠１０には、水抜き孔２０ａ，２０ｂ、２０ｃ、２０ｄ、２０ｅが設けられており、これらの水抜き孔２０、２０ａ，２０ｂ、２０ｅは、下枠内に形成された中空部２１と連通し、内障子及び外障子用の下枠室外側ガイド溝１７，１９と外障子用の室内側ガイド溝１８や内障子及び外障子用の下枠レール部の下部溝１１ｄ、１２ｄに溜まった雨水が、この中空部２１に流れ落ちるようになっている。同様に、結露水孔２０ｆにより、結露水も逆止弁つき結露水排水弁２０ｇを通って中空部２１に流れ落ちる。また、ガイド溝とレール部の下部溝との間を連通させるための切欠き２６も設けられている。
【００４９】
ここで、レール溝１１ｄ、１２ｄに設けられた水抜き孔２０ｂ、２０ｄについては、レール部の上面１１ａ、１２ａを乗り越えガイド溝１６、１８、に侵入した雨水があっても、外障子用レール部の室内側立ち上がり片１２ｅの切欠き２６及び内障子用レール部の室内側立ち上がり片１１ｅの切欠き２６により水抜き孔２０ｂ、２０ｄで排出され、また、風圧等で中空部２１からのしぶき（吹き上げ状態）があっても、レール部の上面でカバーされており、横タイト材７６へのしぶきはかかり難くしてある。
【００５０】
下枠の中空部２１には、外部と連通する排水口２２が設けられており、内障子及び外障子用の下枠室外側ガイド溝１７，１９と外障子用の室内側ガイド溝１８や内障子及び外障子用の下枠レール部の下部溝１１ｄ、１２ｄから水抜き孔２０ａ，２０ｂ、２０ｃ、２０ｄ、２０ｅを介して流れ落ちてきた雨水や結露水孔２０ｆから結露水排水弁２０ｇを通って落ちてきた結露水をこの排水口２２から、排出するようになっている。なお、この排水口２２には、外部からの風や、雨水、虫等の侵入を防ぐために、蓋２２ａが取り付けられており、逆止弁の機能を果たしている。
【００５１】
＜召し合わせ框部分の気密・水密構造＞
内障子の召し合わせ框の室外面３４ａと外障子の召し合わせ框の室内面４４ａとの間には、内外障子を閉じた状態で内障子の召し合わせ框３４と外障子の召し合わせ框４４とが噛み合い、外部からの風圧に耐えうるように、煙返し３４ｂ、４４ｂが設けられている。このうち、内障子の召し合わせ框の室外面３４ａに設けられた煙返し３４ｂには、内外障子が閉じた状態で、内障子の召し合わせ框の室外面３４ａと外障子の召し合わせ框の室内面４４ａとの間を気密にするための縦タイト材７８が設けられている。この縦タイト材７８は、内障子の召し合わせ框の室外面３４ａと外障子の召し合わせ框の室内面４４ａとの間を密接して気密性や水密性を確保し、内障子の召し合わせ框３４及び外障子の召し合わせ框４４に吹き付けられた雨水の室内への侵入を防ぐ。そして、縦タイト材７８はその下端で、図９に示すように、後述する召し合わせ框下部気密ブロック５１の側面で密接しており、縦タイトラインを形成している。なお、この縦タイト材７８を外障子の召し合わせ框の室内面４４ａに設けてもよい。
【００５２】
内障子の召し合わせ框の室外面３４ａ下部及び当該框底部３４ｃには、気密ブロック体５０が設けられている。この気密ブロック体５０は、内障子の召し合わせ框の室外面３４ａ下部と外障子の召し合わせ框の室内面４４ａ下部との間を気密・水密状態にするとともに、内障子の召し合わせ框底部３４ｃと第２の立ち上がり片１４の上面１４ａ及び内障子用の下枠レール部上面１１ａとの間を気密・水密状態にする。ここで、第２の立ち上がり片１４には横タイト材７６が取付けられており、かつ第２の立ち上がり片１４の上面１４ａと横タイト材７６とが略同一平面を形成しているので、水密性・気密性は確実なものとなっている。
【００５３】
図９，１０に示すように、気密ブロック体５０は、召し合わせ框下部気密ブロック５１、召し合わせ框底部気密ブロック５２及び底部気密ブロック用ヒレ５３から構成されている。
【００５４】
召し合わせ框下部気密ブロック５１は、ビス等により内障子の召し合わせ框の室外面３４ａ下部に高さ調整可能に取り付けられ、召し合わせ框底部気密ブロック５２と密接している。このうち、図１１で示す、ヒレの部分５１ａはＡＢＳを含む軟質塩ビ等の弾性体からなっている。この召し合わせ框下部気密ブロック５１の複数のヒレ５１ａにより、複数の気密・水密空間を形成し、内障子の召し合わせ框の室外面３４ａ下部と外障子の召し合わせ框の室内面４４ａ下部との間の高気密・高水密状態を確保し、召し合わせ框に沿って落下した雨水や召し合わせ框下部に吹き付けられた雨水の室内への侵入を防止することができる。
【００５５】
召し合わせ框底部気密ブロック５２は、内障子の召し合わせ框底部３４ｃに嵌合されている。図１２で示すように、この召し合わせ框底部気密ブロック５２には、室内側垂下片５２ａ及び室外側垂下片５２ｂが一体成形されていて、内障子の召し合わせ框底部３４ｃで切欠かれた内障子下框の室内側垂下片３２及び室外側垂下片３３を、実質的に延在させたかたちになっている。なお、召し合わせ框底部気密ブロックの室内側垂下片５２ａ及び室外側垂下片５２ｂは、必ずしも設ける必要がなく、その場合は内障子の下框の室内側垂下片３２及び室外側垂下片３３を延在させればよい。
【００５６】
召し合わせ框底部気密ブロック５２の底には、底部気密ブロック用ヒレ５３が、嵌合又は接着等されている。図１２で示す、底５２ｃが嵌合又は接着等される箇所である。図１３に示す、この底部気密ブロック用ヒレ５３は、ＡＢＳを含む軟質塩ビ等の弾性体からなり、内障子用のレール部上面１１ａと密接することにより、内障子の召し合わせ框底部３４ｃと内障子用のレール部上面１１ａとの間が気密・水密状態にされるので、下枠レール部上面１１ａからの雨水の侵入を防止することができる。なお、図１４に示すように、ヒレ５４ａを別部材とせずに、召し合わせ框底部気密ブロック５４と一体成形してもよい。
【００５７】
なお、これら召し合わせ框底部気密ブロック５１、召し合わせ框底部気密ブロック５２、５４及び底部気密ブロック用ヒレ５３等を、外障子の召し合わせ框の室内面４４ａ下部及び当該框底部４４ｃに設けてもよい。
【００５８】
図１５に示すように、召し合わせ框下部気密ブロック５１、召し合わせ框底部気密ブロック５２及び底部気密ブロック用ヒレ５３からなる気密ブロック体５０に加え、防水効果をさらに高めるため、召し合わせ框下部気密補助ブロック５５を、内障子の召し合わせ框のサッシ長手方向面３４ｄ下部にビス等で取り付けてもよい。召し合わせ框下部気密補助ブロック５５のうち、板状部材５５ａは、ＡＢＳを含む軟質塩ビ等の弾性体からなり、この板状部材５５ａは、外障子の召し合わせ框の室内面４４ａ下部の端部、下枠第２の立ち上がり片１４の上面１４ａ、内障子用の下枠室外側ガイド溝１６、及び内障子用レール部上面１１ａに密接し、雨水の室内への侵入があった場合にガイド溝１７，１８に排出を促して止水するので、防水効果をさらに高めることができる。
【００５９】
また、図８に示すように、引き違いサッシを閉じた状態で内障子の召し合わせ框の底部３４ｃに位置する、内障子用の下枠レール部の室内側及び室外側のガイド溝１６，１７には、溝付きタイトブロック７９が埋設されている。この溝付きタイトブロック７９は、ガイド溝１６、１７に流れ込んだ雨水の室内への流出を塞き止め、水抜き孔２０ａに雨水を排出させる
【００６０】
さらに、内障子用の下枠レール部の上面１１ａを，下枠のベースを構成する下枠部材２３ｂとは別部材とする場合、すなわち内障子用の下枠レール部の上面１１ａが取外し可能な上面構成部材２４を別部材とする場合には、引き違いサッシを閉じた状態で内障子の召し合わせ框の底部３４ｃに位置する、レール部の上面構成部材２４並びに前記レール部の立ち上がり片１１ｅ，１１ｆで囲まれる範囲（内障子用の下枠レール部の下部溝１１ｄ）に、溝付きタイトブロック８０が埋設されている。この溝付きタイトブロック８０により、上記と同様に、レール部の下部溝１１ｄに流れ込んだ雨水の室内への流出を塞き止め、水抜き孔２０ａ、２０ｄに雨水を排出させる。
【００６１】
図８に示すように、水抜き孔２０ａは、召し合わせ框タイトライン８５ｃよりも外部かつ近接した位置に設けられており、レール部下部溝１１ｄ、ガイド溝１７、１８の底部及び内障子用レール部室外側立ち上がり片１１ｆ、第２の立ち上がり片１４を切欠いて開孔している。
【００６２】
ここで、第２の立ち上がり片１４のが召し合わせ框タイトライン８５ｃの外で切欠かれ、上面１４ａの連続性が遮断されているのは、上面１４ａに落ちた雨水がそのまま第２の立ち上がり片１４の上面１４ａを伝わって室内側に侵入するのを遮断するとともに、召し合わせ框タイトライン８５ｃの外部での排水を良好にし、召し合わせ框タイトライン８５ｃの負担を軽減するためである。
【００６３】
＜水切りライン及びタイトライン＞
一実施例であるサッシ構造では、内障子３０及び外障子４０に室外側垂下片３３，４８を設け下枠レール部の上面１１ａ，１２ａへの雨水の侵入を少なくしたことにより、下枠全体として水密性や気密性を高めている。すなわち、図１６ａで示すように、内障子３０及び外障子４０に室外側垂下片３３，４８による水切りライン８４と、上記に述べた、内障子及び外障子の室内側垂下片３２，４７と横タイト材７６との密接、内障子召し合わせ框３４部分の縦タイト材７８、気密ブロック５０、溝付きタイトブロック７９，８０及び必要に応じて召し合わせ框下部気密補助ブロック５５を加えた、内障子室内側タイトライン８５ａ、外障子室内側タイトライン８５ｂ及び召し合わせ框タイトライン８５ｃより構成される下枠タイトライン８５とを別々に設ける二重構造により、タイトライン８５の負担を軽減させ防水性を高めている。
【００６４】
また、内障子３０及び外障子４０に室外側垂下片３３，４８を設けたことにより、引き違いサッシの内障子３０の召し合わせ框の室外側３４ａ下部や当該框の底部３４ｃにおける水密性や気密性の確保を容易にしている。すなわち、レール部の上面１１ａに位置する、召し合わせ框の底部３４ｃの水密性や気密性は高くなっている。
【００６５】
さらに、内障子３０及び外障子４０に室外側垂下片３３，４８を設けたことにより、召し合わせ框の室外側３４ａ下部の気密ブロック５０、溝付きタイトブロック７９，８０及び水抜き孔２０ａによる雨仕舞を、その構造を複雑にせずに確実に行うことができるようにしている。
【００６６】
他方、当然のことながら、一実施例に係るサッシは、図２で示すように、左右のサッシ縦枠７１、７２には、縦タイト材８１を設けており、引き違いサッシを閉じた状態で、外障子の縦框４３の室内面及び内障子の縦框３５の室内面とそれぞれの縦タイト材８１とを密接させ、サッシ高さ方向のタイトラインも形成しており、下枠のタイトライン８５と実質的に一体化して室内への漏水を防いでいる。
【００６７】
別の実施形態としては、片引きサッシ又は引き分けサッシ等の開閉式外部開口部への適用が考えられる。これらのサッシと引き違いサッシとの大きな違いは、内障子３０の代わりに嵌め殺し部６０が設けられることである。したがって、サッシ構造の違いとしては、図４で示すように、引き違いサッシの場合に必要であった内障子用のレール部１１がなくなり、この部分の防水対策が不要になる。
【００６８】
＜レール部上面構成部材＞
本発明に係る下枠レール部着脱自在構造については、先に図５ａを参照して若干説明したが、さらに詳細を図７、図１７〜図２６に図示している。
レール部の上面構成部材２４，２５は、図７に示すように、室内側から室外側を見て、中央の第１部材９０，１００、左側の第２部材９１，１０１、右側の第３部材９２，１０２によって３分割されて構成されている。これらの構成は、内障子用のレール部１１、及び外障子用のレール部１２についても同様となっている。
【００６９】
図５ａに示すように、内障子用レール部１１は、下枠内の中空部２１上方に設けられた、それぞれフラット面には達しないで立ち上がり高さが低い、レール部室内側立ち上がり片１１ｅ、及びレール部室外側立ち上がり片１１ｆにより、レール溝１１ｄを形成し、かつこのレール溝１１ｄに前記レール部の上面構成部材２４を着脱自在に嵌合することで形成される。また、外障子用レール部１２は、下枠内の中空部２１上方に設けられた、それぞれフラット面には達しないで立ち上がり高さが低い、レール部室内側立ち上がり片１２ｅ、レール部室外側立ち上がり片１２ｆにより、レール溝１２ｄを形成し、かつ着脱自在な前記レール部の上面構成部材２５を前記レール溝１２ｄに嵌合することで形成される。ここで、図示はしないが、レール部立ち上がり片１１ｅ，１１ｆ，１２ｅ，１２ｆには、ツメがついており、このツメと上面構成部材２４，２５の側面とが係止している。図１９には、この上面構成部材の取付け又は取外す状態を示している。
【００７０】
各部材の長さについては、第１部材９０，１００は第２部材９１，１０１と第３部材９２，１０２との間に位置し、内及び外障子３０，４０をサッシ長手方向の一方側のレール部上に寄せ、第２部材９１，１０１を着脱自在とし、また、他方側のレール部上に寄せ、第３部材９２，１０２を着脱自在とするように第１〜第３部材の長さを設定すればよい。この長さの要件を満たす範囲で、第１部材９０，１００、第２部材９１，１０１、第３部材９２，１０２の長さは自由に決めることが可能である。例えば、図１８に示すように、レール溝に設けられた水抜き孔２０ｂ，２０ｄや切欠き２６の位置等によって、後述する嵌合部材１１０の設置位置が変わるため、上記範囲で、各部材の長さを調整すればよい。
【００７１】
上記範囲で各部材の長さを設定することにより、図１７に示すように、内及び外障子３０，４０を右側に寄せると、内及び外障子用の第２部材９１，１０１については、内及び外障子３０，４０を取り外すことなく、容易に着脱が可能となる。また、図示はしないが、内及び外障子３０，４０を左側に寄せると、内及び外障子用の第３部材９２，１０２については、内及び外障子３０，４０を取り外すことなく、容易に着脱が可能となる。さらに、第１部材９０，１００については、障子を取り外すことにより、着脱が可能である。
【００７２】
第１部材９０，１００、第２部材９１，１０１、第３部材９２，１０２が、着脱自在であることにより、レール溝１１ｄ、１２ｄやレール溝１１ｄ、１２ｄに隣接し排水溝として機能するガイド溝１６，１７，１８，１９に溜まった塵や埃等を箒で掃いたり、掃除機で吸取ったりすることにより清掃することが容易にでき、また、レール溝に設けられた水抜き孔２０ｂ、２０ｄ、結露水孔２０ｆに詰まったゴミなどを清掃し目詰まりによる室内への漏水を防ぐことができる。さらに、ゴミ等の蓄積による不衛生状態を防止することができる。
【００７３】
また、前述したように、下枠１０には、水抜き孔２０ａ，２０ｂ、２０ｃ、２０ｄ、２０ｅが設けられており、これらの水抜き孔２０、２０ａ，２０ｂ、２０ｅは、下枠内に形成された中空部２１と連通し、内障子及び外障子用の下枠室外側ガイド溝１７，１９と外障子用の室内側ガイド溝１８や内障子及び外障子用の下枠レール部の下部溝１１ｄ、１２ｄに溜まった雨水が、この中空部２１に流れ落ちるようになっている。さらに、ガイド溝とレール部の下部溝との間を連通させるための切欠き２６も設けられている。このため、レール溝１１ｄ、１２ｄやイド溝１６，１７，１８，１９に溜まった塵や埃等を水で洗い流すことも可能である。
【００７４】
＜嵌合部材＞
レール溝１１ｄ、１２ｄには、図２０に示すような、レール部上面構成部材２４，２５の小口断面に一致する嵌合突起部１１１を有する、第１〜第３部材９０，９１，９２，１００，１０１，１０２と嵌着自在な嵌合部材１１０を設けている（図１９に一部露出状態で図示されている。）。嵌合部材１１０には、ビス孔１１２が形成されており、嵌合部材１１０をレール溝１１ｄ、１２ｄに固定するためには、このビス孔１１２にビス留めする。
【００７５】
ビス孔１２の断面は、図２０ａ，２０ｃに示すように、図示しないビス頭の断面形状に合わせて擂鉢状になっており、図示しないビスが貫入することにより、ビス頭でビス孔１２を上から押さえつける力はベース部１１３の先端１１３ａを左右に開く裂開力に変換され、レール溝１１ｄ、１２ｄの側面を押圧し、嵌合部材１１０のレール溝１１ｄ、１２ｄへ係止する。ここで、図示しないビスの長さは、レール溝を貫通するまでの長さはなく、もっぱら、レール溝１１ｄ、１２ｄへの固定は、レール溝１１ｄ、１２ｄの側面の押圧によるものである。
【００７６】
したがって、第１〜第３部材９０，９１，９２，１００，１０１，１０２のレール溝１１ｄ、１２ｄへの取付けに際しては、まず、第１部材９０，１００を嵌合部材１１０に、嵌合部材１１０のビス孔１１２にビス留めしないスライド自在な状態で嵌合し、レール部全長の略中央部に取付け、次に、この第１部材９０，１００の各端部に当接するようにして第２部材９１，１０１及び第３部材９２，９３を取付け、第１部材９０，１００の位置をスライドさせながら、それぞれの部材の位置決めをする。次に、嵌合部材１１０のビス孔１１２の図示しないビスを貫入し、レール溝１１ｄ、１２ｄの側面を押圧し、嵌合部材１１０のレール溝１１ｄ、１２ｄへ係止する。その後、係止された嵌合部材１１０上に、第２部材９１，１０１及び第３部材９２，９３を取付ければよい。
このため、従来技術のような中央部材を予めビス等で係止した後、左右のレール部上面構成部材を取付ける場合とは異なり、中央部材である第１部材９０，１００はスライド可能で位置調整が自在であるため、隙間が生ずることがない。
【００７７】
また、この嵌合部材１１０には、レール部上面構成部材２４，２５の小口断面に一致する嵌合突起部１１１を有しており、図２１ａで示すように、この嵌合突起部１１１の上で、第１部材９０，１００と第２部材９１，１０１、並びに第１部材９０，１００と第３部材９２，９３とが衝合する。
【００７８】
第１〜第３部材９０，９１，９２，１００，１０１，１０２の断面形状と一致した嵌合突起部１１１を介して衝合されているので、第１〜第３部材９０，９１，９２，１００，１０１，１０２のサッシ長手方向に対しての移動は嵌合突起部１１１との摩擦抵抗により制約され、第１〜第３部材９０，９１，９２，１００，１０１，１０２は実質的に一体となり、各端部のズレを生じない。
【００７９】
他方、第１〜第３部材９０，９１，９２，１００，１０１，１０２の上下方向の移動も、第１〜第３部材９０，９１，９２，１００，１０１，１０２と嵌合突起部１１１との断面形状の一致、及び第１〜第３部材の底面９０ａ，９１ａ，９２ａ，１００ａ，１０１ａ，１０２ａをベース部１１３が支持していること、さらに図示はしないがレール部の立ち上がり片１１ｅ，１１ｆ，１２ｅ，１２ｆの先端部に設けたツメ部と第１〜第３部材９０，９１，９２，１００，１０１，１０２の側面が係止していることにより制約され、各端部の上下のズレも生じない。
【００８０】
各端部でこの嵌合突起部１１１は、図２０ｃ，図２１ｂで示すように、サッシ長手方向に対して、テーパー状のテーパー面１１４が形成されており、このテーパー面１１４を有する側から、第２部材９１，１０１及び第３部材９２，９３が嵌入され、テーパー面１１４を有しない側から第１部材９０，１００が嵌入される。このテーパー面１１４により、図２１ｂに示すように、第２部材９１，１０１及び第３部材９２，９３が着脱し易いようになっている。
【００８１】
第１部材９０，１００の端部断面については、図２１ａ，図２１ｃに示すように、嵌合突起部１１１の上で、第２部材９１，１０１及び第２部材９１，１０１と衝合する必要があるため、底面９０ａ，１００ａを第１部材９０，１００の長手方向全長にわたって、好ましくは図２１ｃに示すように一部分を両端で、切欠いておく必要がある。なお、第２部材９１，１０１及び第２部材の底面９１ａ，１０１ａ、９２ａ，９３ａについては、そもそも切欠く必要がないが、長手方向全長にわたって無くてもよい。
【００８２】
以上のことから、レール溝に固定された嵌合部材１１０上で、かつ嵌合突起部１１１を介して第１部材９０，１００と第２部材９１，１０１のそれぞれの端部、並びに第１部材９０，１００と第３部材９２，１０２のそれぞれの端部が衝合されていることにより、当該衝合部分において、サッシ長手方向での第１〜第３部材９０，９１，９２，１００，１０１，１０２のズレ（例えば隙間を生じること）は起こらず、また、上下方向のズレも生じない。したがって、当該衝合部分で各上面構成部材の端部の微妙な段差や隙間を生じることはないので、レール部の上面を障子に設けられた戸車が移動する際に、がたつきを発生することはない。
【００８３】
＜端部塞ぎ材＞
図７に示すように、第２及び第３部材９１，１０１、９２，１０２のサッシ縦枠側の端部には、弾性片１２４，１３４を内蔵した端部塞ぎ部材が設けられている。図７に示すように、上面構成部材である外障子用の第２部材１０１と内障子用の第３部材９２には、第１端部塞ぎ材１２０が設けられており、また、内障子用の第２部材９１と外障子用の第３部材１０２には、第２端部塞ぎ材１３０が設けられている。図２２、第１端部塞ぎ材１２０を外障子用の第２部材１０１に取付けた状態、及び図２４には、第２端部塞ぎ材１３０を内障子用の第２部材９１に取付けた状態を示している。
【００８４】
図２３に示すように、第１端部塞ぎ材１２０には２片の突出片１２１が設けられており、この突出片１２１を外障子用の第２部材１０１と内障子用の第３部材９２サッシ縦枠側の端部に嵌入し、また、ビス孔１２２を介してビス留めすることにより、各部材のサッシ縦枠側の端部に確実に固定される。
【００８５】
第１端部塞ぎ材１２０は、外障子用の第２部材１０１と内障子用の第３部材９２の上面よりも突出しないまたは突出高が小さいので、障子が閉じられる際の障害になることはない。
また、第１端部塞ぎ材１２０にはドライバー等の先端を挿入可能な係止口１２３があり、この係止口１２３にドライバー等の先端を挿入して、ドライバー等で第１端部塞ぎ材１２０を引っ掛け、この第１端部塞ぎ材１２０を介して、外障子用の第２部材１０１と内障子用の第３部材９２を容易に取り外すことが可能となる。
【００８６】
図２５に示すように、第２端部塞ぎ材１３０には、上面構成部材を嵌入するための嵌入部１３１が設けられており、この嵌入部１３１に、内障子用の第２部材９１、外障子用の第３部材１０２のサッシ縦枠側の端部を嵌入し、またビス孔１３２を介してビス留めすることにより、各部材のサッシ縦枠側の端部に固定される。
【００８７】
第２端部塞ぎ材１３０は、内障子用の第２部材９１と外障子用の第３部材１０２の上面よりも突出しているので、通常は、外障子４０を右側に閉じたり、内障子３０を左側に閉じたりしたときの、障子開放時の開放範囲を規制するための、あるいは障子縦框３５，４３あるいは召し合わせ框３４，４４の引き代を残すためのとしても表現できるストッパーとして機能する。したがって、この形態では、ストッパー兼用形態である。
また、第２端部塞ぎ材１３０には、凹み部１３３を有しているので、この凹み部１３３を摘んで、第２端部塞ぎ材１３０を介して、内障子用の第２部材９１と外障子用の第３部材１０２を容易に着脱することができる。
【００８８】
第１端部塞ぎ部材１２０及び第２端部塞ぎ材１３０には、弾性片１２４，１３４が内蔵されているので、第２部材及び第３部材９１，１０１，９２，１０２の寸法誤差を吸収することができ、かつ第２部材及び第３部材９１，１０１，９２，１０２をさらに容易に着脱可能にしている。
【００８９】
＜他のレール部着脱自在構造＞
図３０以降は、他のレール部着脱自在構造を示すものである。図３０〜図３７に全体的な構成を示してある。斜視図は、室内側からの視図である。以下これを順に説明する。
上記実施の形態と異なるのは、端部塞ぎ材がストッパーを兼用しておらず、ストッパー２００は、端塞ぎ材３００と別体であり、もちろん第１部材９０、第２部材９１、第３部材９２、第１部材１００、第２部材１０１、第３部材１０２とも別体である点である。このために、ストッパー２００及び端塞ぎ材３００の形状は、上記実施の形態とは異なる。
【００９０】
（ストッパーについて）
ストッパー２００の詳細は、図３８〜図４４にも示した。ストッパー２００は、一側の下部に係合張り出し部２０１を有する。この係合張り出し部２０１の肩上面には小さなリブが２条形成されている。ストッパー２００の下部中央に通しの切欠部２０２を有する。この切欠部２０２は、図３４に示すように、立ち上がり片１１ｅ，１１ｆまたは１２ｅ，１２ｆを跨ぐためである。また、ストッパー２００の両端面の下部には、凹陥度が小さい凹面部２０３、２０３がそれぞれ形成され、上部には逃げ用凹面部２０４、２０４が形成されている。頭部は強度及び軽量性などを確保するために、たとえば図示のように、繋ぎ片やリブなどにより中空構造とされている。
【００９１】
このストッパー２００は、図３４に示すように、下枠１０の端部や立ち上がり片１１ｅ，  １１ｆまたは１２ｅ，１２ｆの不連続部を介して嵌め込まれ、所定の位置に移動された状態で、係合張り出し部２０１が第１の立ち上がり片１３の横タイト材７６の保持用肩部１３ａ、あるいは第２の立ち上がり片１４の横タイト材７６の保持用肩部１４ａに上方への抜けが規制され、そのままでは上方へ抜けない状態で固定的に設けられている。
【００９２】
もちろん、ストッパー２００は、引違いサッシの場合には、図７が代表的に参照されるように、室外側においては、縦枠７２に隣接し、室内側においては、縦枠７１に隣接して配置される。このストッパー２００は、上記の横断面係合状態のほか、ネジなどにより下枠１０に固定するものでもよい。また、容易には外れ難いが、強い力では上方に外れる形態でもよい。
【００９３】
上部に少なくとも端塞ぎ材３００と対向する面側に、凹面部２０３を形成する理由は、後述のように、端塞ぎ材３００が当接したとき、凹面部２０３の上段部を肩として係止し、外れ難くするためである。
【００９４】
逃げ用凹面部２０４を形成したのは、障子の組み立て用ビスの頭と衝突しないように凹部を形成したのである。
【００９５】
上記ストッパーは、開口部や障子のサイズに応じて、長手方向長さや形状の変更が可能である。
【００９６】
（端塞ぎ材について）
図４５〜図５２に示す端塞ぎ材３００は、第２部材９１、１０１、及び第３部材９２、１０２の着脱開始側端部（それぞれ縦枠側端部）に取り付けられ、共通部材とされている。
また、端塞ぎ材３００は、上記例の端部塞ぎ材１２０と形状及び構造が類似しているが、異なるところも大いにある。
すなわち、図３５〜図３７も参照されるように、両側部にサイド片３０１，３０１が形成され、上板部３０２との間に後方に開口する開口部３０３，３０３が形成され、第２部材９１、１０１、及び第３部材９２、１０２の端部の側部が、対応するサイド片３０１，３０１間に嵌り、端部の張り出し鍔部が、対応する開口部３０３，３０３に後方から挿入される。この状態で、上板部３０２の長手方向に沿う長孔３０２ａを通してビス３０４止めされる。
【００９７】
上板部３０２の長手方向中間から下方に当接片３０５が突出して垂下している。この当接片３０５は、図５１が参照されるように、サイド片３０１，３０１とは連結されていないので、かつ、端塞ぎ材３００全体が変形可能なプラスチック製などとされている関係で、当接片３０５の下方が上板部３０２との繋ぎ部分を中心として撓み可能とされ、寸法誤差を吸収可能とされている。
【００９８】
端塞ぎ材３００の前板部３０６は、上板部３０２の長手方向端部から下方に突出して垂下している。よって、上板部３０２との繋ぎ部分を中心として若干撓み可能とされている。前板部３０６の中央には、上下方向に沿う凹溝３０６ａが形成されている。この凹溝３０６ａは、図７が参照されるように、縦枠７１の小突条７１ａに端塞ぎ材３００の装着状態において係合し、室内外方向には振れ難くしたものである。
【００９９】
他方で、サイド片３０１，３０１の先端側上部に、本体立ち上がり片、実施の形態では、第１の立ち上がり片１３、第２の立ち上がり片１４、第３の立ち上がり片１５との、いずれかの間を通して差し入れる工具、たとえばマイナスドライバーの先端が引っ掛かる取り外し用係止孔３０１Ａ、３０１Ａが形成されている。その代わりに、端塞ぎ材の上面を形成する上板部３０２には、特許文献２のような指先を入れるツマミ凹部は形成されていない。長孔３０２ａが形成されているのみである。
【０１００】
たとえばマイナスドライバーの先端を、第１の立ち上がり片１３、第２の立ち上がり片１４、第３の立ち上がり片１５との、いずれかの間を通して差し入れ、取り外し用係止孔３０１Ａに引っ掛けて、そのまま先端を引き上げるか、第１の立ち上がり片１３、第２の立ち上がり片１４、又は第３の立ち上がり片１５の上面をテコの座として先端を持ち上げると、図３２に示すように、第２部材９１、１０１、及び第３部材９２、１０２の対応する部材とともに、端塞ぎ材３００が簡単に小さな力で浮く。その後、端塞ぎ材３００などの端部を指で把持して外すことができる。
【０１０１】
なお、上板部３０２の先端の両側に、小張り出し部３０７、３０７が形成され、ここを足がかりとして、指先を引っ掛けるまたはたとえばマイナスドライバーの先端を引っ掛けて外すことも可能ではある。
【０１０２】
逆に、端塞ぎ材３００を嵌める場合には、端塞ぎ材３００を押し込めばよい。このとき、図５０が参照されるように、端塞ぎ材３００は斜め状態から水平になろうとするとき、前面部３０６は、上板部３０２の長手方向端部から下方に突出し、上板部３０２との繋ぎ部分を中心として若干撓み可能とされているので、はめ込んだとき、前面部３０６の反力で、縦枠またはストッパー２００に弾圧的に当接する機能がある。
【０１０３】
ストッパー２００と対向する端塞ぎ材３００の場合には、前述の凹面部２０３の上段部を肩として係止し、外れ難くなる。
【０１０４】
上記例において、ストッパー２００と対向する端塞ぎ材３００を除き、縦枠に対向する場合には、前記端部塞ぎ材１２０を使用することも可能ではあるものの、ゴミの溜まりがあるので、望ましい形態ではない。
【０１０５】
取り外し用係止孔３０１Ａは、両側面のほか片側でもよい。孔は、貫通していなくとも凹部孔でもよい。形状についても、工具などが係止する範囲内で適宜の形状とすることができる。
【０１０６】
（部材の嵌め合い用脚部材について）
着脱作業者が、第２部材及び第３部材をレール溝内に嵌めこむ場合、正規の位置に嵌め込んだか否か、感覚的に判るようにすることが望ましい。そこで、図５３〜図５７に示す嵌め合い用脚部材４００が、予め第２部材及び第３部材の下部に装着される。
【０１０７】
脚部材４００は、変形可能なたとえばプラスチック部材とされ、Ｕ字状部４０１の下部から、Ｊ字状の足４０２、４０２が反対向きに垂下したものである。さらに、足４０２、４０２の途中には、係合突部４０２ａ，４０２ａがそれぞれ外方に突出して形成されたものである。
これに対し、たとえば第２部材９１を例に採ると、長手方向端から中央部側に寄った箇所の両側の足壁に切欠部９１ａ（一方は図示されていない）が形成されている。
【０１０８】
図５３に示すように、脚部材４００は、第２部材９１の端部から挿入し、そのＵ字状部４０１を第２部材９１のボックス部内に嵌合させる。第２部材９１の端部から脚部材４００の挿入を進めると、係合突部４０２ａ，４０２ａが対応する切欠部９１ａ（一方は図示されていない）のそれぞれに合致した位置において、復元力が作用し、係合する。第２部材９１の長手方向の他の端部にも、図５３に示すように脚部材４００を同様に取り付けておく。
【０１０９】
かかる状態で、第２部材９１を立ち上がり片１１ｅ，１１ｆで形成されるレール溝に嵌め込むと、Ｊ字状の足４０２、４０２のそれぞれの反り返り上端が、立ち上がり片１１ｅ，１１ｆの内面の段部の肩Ｘに係合するので、この係合の有無が着脱作業者の手触りとして感覚で判る。これがあれば正規の位置に嵌め込んだことになる。
【０１１０】
第２部材９１の取り外しに際しては、これを持ち上がることで、さほどの抵抗なく、Ｊ字状の足４０２、４０２が相互に接近する方向に変形するので、レール溝内から外すことができる。
【０１１１】
他の、部材についても、同様に脚部材４００が設けられ、同様に着脱が行われる。
【０１１２】
＜レール部着脱自在構造の他のサッシへの適用＞
本発明に係るサッシのレール部着脱自在構造の適用としては、片引きサッシ又は引き分けサッシへの適用が考えられる。これらのサッシと引き違いサッシとの大きな違いは、内障子３０の代わりに嵌め殺し部６０が設けられることである。したがって、サッシ構造の違いとしては、図４で示すように、引き違いサッシの場合に必要であった内障子用のレール部１１がなくなり、このレール部の上面構成部材である、第１部材９０、第２部材９１、第３部材９２がなくなることである。
【図面の簡単な説明】
【０１１３】
【図１】本発明に係る、引き違いサッシの場合の、サッシ下枠構造の縦断面図を示す。
【図２】本発明に係る、引き違いサッシの場合の、サッシ構造の横断面図を示す。
【図３】本発明に係る、方引きサッシの場合の、サッシ構造の縦断面図を示す。
【図４】本発明に係る方引きサッシの場合の、サッシ構造の横断面図を示す。
【図５】本発明に係る、引き違いサッシの場合の、サッシ下枠構造の縦断面の部分拡大図を示す。
【図６】本発明の実施の態様に係る、引き違いサッシを採用したマンション等の、室内から屋外バルコニーまでの縦断面図を示す。
【図７】本発明に係るサッシ下枠のレール部着脱自在構造を引き違いサッシに適用した例を示す。
【図８】本発明に係る、引き違いサッシの場合の、サッシ下枠構造の水抜き孔、水切り、タイト材の平面配置図及び下枠断面図を示す。
【図９】気密ブロック体を内障子の召し合わせ框に取り付け、下から見上げた状態を示す。
【図１０】気密ブロック体を内障子の召し合わせ框に取り付け、室外側から見た状態を示す。
【図１１】召し合わせ框下部気密ブロックの射影図、正面図、側面図を示す。
【図１２】召し合わせ框底部気密ブロックの正面図、側面断面図、底面図を示す。
【図１３】底部気密ブロック用ヒレの正面図、正面断面図、底面図を示す。
【図１４】召し合わせ框底部気密ブロックの他の実施例の正面図、射影図を示す。
【図１５】召し合わせ框下部気密補助ブロックの射影図、正面図を示す。
【図１６】下枠の水切りライン、タイトライン及び下枠断面図を示す。
【図１７】引き違いサッシの場合に、外障子を開き上面構成部材を取外した状態を示す。
【図１８】引き違いサッシの場合の、嵌合部材を配置した平面図を示す。
【図１９】引き違いサッシの場合に、外障子を開いた状態で、上面構成部材を取付け又は取外す状態の斜視図を示す。
【図２０】嵌合部材の斜影図、上面図、正面図、側面図を示す。
【図２１】嵌合部材とレ−ル部上面構成部材との関係を説明するための図を示す。
【図２２】第１端部塞ぎ部材をレール部上面構成部材に取付けた状態を示す。
【図２３】第１端部塞ぎ部材の射影図、上面図、正面図、上面構成部材との嵌合状態を示す。
【図２４】第２端部塞ぎ部材をレール部上面構成部材に取付けた状態を示す。
【図２５】第２端部塞ぎ部材の射影図、上面図、側面図、正面図、上面構成部材との嵌合状態を示す。
【図２６】従来例であるサッシ下枠のレール部着脱自在構造を示す。
【図２７】従来例であるサッシ下枠構造（ｂ）と本発明に係るサッシ下枠構造（ａ）の防水性を比較する図面を示す。
【図２８】従来例であるサッシ下枠構造（ｂ）と本発明に係るサッシ下枠構造（ａ）のメンテナンス性を比較する図面を示す。
【図２９】従来例であるサッシ下枠構造（ｂ）と本発明に係るサッシ下枠構造（ａ）の防犯性を比較する図面を示す。
【図３０】本発明の他のレール部着脱自在構造の要部斜視図である。
【図３１】視点を変えたレール部着脱自在構造の要部斜視図である。
【図３２】取り外し上体のレール部着脱自在構造の要部斜視図である。
【図３３】ストッパーの斜視図である。
【図３４】ストッパーの嵌めこみ状態横断面図である。
【図３５】部材端部の斜視図である。
【図３６】端塞ぎ材の斜視図である。
【図３７】端塞ぎ材の正面図である。
【図３８】ストッパーの正面図である。
【図３９】ストッパーの平面図である。
【図４０】ストッパーの底面図である。
【図４１】ストッパーの左側面図である。
【図４２】ストッパーの４２−４２線矢視図である。
【図４３】ストッパーの４３−４３線矢視図である。
【図４４】ストッパーの４４−４４線矢視図である。
【図４５】端塞ぎ材の正面図である。
【図４６】端塞ぎ材の平面図である。
【図４７】端塞ぎ材の底面図である。
【図４８】端塞ぎ材の左側面図である。
【図４９】端塞ぎ材の右側面図である。
【図５０】端塞ぎ材の５０−５０線矢視図である。
【図５１】端塞ぎ材の５１−５１線矢視図である。
【図５２】端塞ぎ材と部材との嵌合図である。
【図５３】脚部材のレール部材への取り付け状態斜視図である。
【図５４】脚部材のレール部材への取り付け状態及び下枠への取り付け状態説明図である。
【図５５】脚部材の側面図である。
【図５６】脚部材の正面図である。
【図５７】５７−５７線矢視図である。
【符号の説明】
【０１１４】
１…従来の内障子、１ａ…従来の内障子下框、１ｃ…従来の内障子下框の垂下片、２…従来例の外障子、２ａ…従来例の外障子下框、２ｃ…従来の内障子下框の垂下片、３…窓ガラス、４…従来例の内障子用の下枠レール部上面、５…従来例の外障子用の下枠レール部上面、６…戸車、７…バール、１０…下枠、１１…内障子用の下枠レール部、１１ａ…内障子用の下枠レール部上面、１１ｂ…内障子用の下枠レール部室内側側面、１１ｃ…内障子用の下枠レール部室外側側面、１１ｄ…内障子用の下枠レール部の下部溝、１１ｅ…内障子用の下枠レール部室内側立ち上がり片、１１ｆ…内障子用の下枠レール部室外側立ち上がり片、１２…外障子用の下枠レール部、１２ａ…外障子用の下枠レール部上面、１２ｂ…外障子用の下枠レール部室内側側面、１２ｃ…外障子用の下枠レール部室外側側面、１２ｄ…外障子用の下枠レール部の下部溝、１２ｅ…外障子用の下枠レール部室内側立ち上がり片、１２ｆ…外障子用の下枠レール部室外側立ち上がり片、１３…第１の立ち上がり片、１４…第２の立ち上がり片、１４ａ…第２の立ち上がり片の上面、１５…第３の立ち上がり片、１６…内障子用の下枠室内側ガイド溝、１７…内障子用の下枠室外側ガイド溝、１８…外障子用の下枠室内側ガイド溝、１９…外障子用の下枠室外側ガイド溝、２０ａ、２０ｂ、２０ｃ、２０ｄ、２０ｅ…水抜き孔、２０ｆ…結露水孔、２０ｇ…結露水排水弁、２１…下枠中空部、２２…排水口、２２ａ…排水口蓋、２３、２３ａ、２３ｂ…下枠部材、２４…内障子用の下枠レール部上面構成部材、２５…外障子用の下枠レール部上面構成部材、２６…切欠き、３０…内障子、３１…内障子戸車、３２…内障子室内側垂下片、３３…内障子室外側垂下片、３４…内障子召し合わせ框、３４ａ…内障子召し合わせ框室外面、３４ｂ…内障子煙返し、３４ｃ…内障子召し合わせ框底部、３４ｄ…内障子召し合わせ框のサッシ長手方向面下部、３５…内障子縦框、３６…内障子下框、４０…外障子、４１…外障子下框、４３…外障子縦框、４４…外障子召し合わせ框、４４ａ…外障子召し合わせ框室外面、４４ｂ…外障子煙返し、４４ｃ…外障子召し合わせ框底部、４５…外障子下框底部、４６…外障子戸車、５０…気密ブロック体、５１…召し合わせ框下部気密ブロック、５１ａ…ヒレ部、５２…召し合わせ框底部気密ブロック、５２ａ…室内側垂下片部、５２ｂ…室外側垂下片部、５２ｃ…底部、５３…底部気密ブロック用ヒレ、５３ａ…ヒレ部、５４…召し合わせ框底部気密ブロック（ヒレ付き）、５４ａ…ヒレ部、５５…召し合わせ框下部補助ブロック、５５ａ…板状部材、６０…嵌め殺し部、７０…サッシ上枠、７１…サッシ左縦枠、７２…サッシ右縦枠、７２ａ…突出部、７３…グレーチング、７４…バルコニー、７６…横タイト材、７８，８１…縦タイト材、７９、８０…埋設タイト材、８２…網戸、８３…グレーチング、８４…水切りライン、８５…タイトライン、８５ａ…内障子室内側タイトライン、８５ｂ…外障子室内側タイトライン、８５ｃ…召し合わせ框タイトライン、９０…内障子用上面構成部材の第１部材、９０ａ…内障子用上面構成部材の第１部材の底面、９１‥内障子用上面構成部材の第２部材、９１ａ…内障子用上面構成部材の第２部材の底面、９２‥内障子用上面構成部材の第３部材、９２ａ…内障子用上面構成部材の第３部材の底面、１００…外障子用上面構成部材の第１部材、１００ａ…外障子用上面構成部材の第１部材の底面、１０１…外障子用上面構成部材の第２部材、１０１ａ…外障子用上面構成部材の第２部材の底面、１０２…外障子用上面構成部材の第３部材、１０２ａ…外障子用上面構成部材の第３部材の底面、１１０…嵌合部材、１１１…嵌合突起部、１１２、１２２，１３２…ビス孔、１１３…ベース部、１１３ａ…ベース部の先端、１１４…テーパー面、１１５…起立部、１２０…第１端部塞ぎ材、１２１…突出片、１２３…係止孔、１２４，１３４…弾性片、１３０…第２端部塞ぎ材、１３１…嵌入部、１３３…凹み部、１４０…従来例の左側上面構成部材、１４１…従来例の中央上面構成部材、１４２…従来例の右側上面構成部材、１４３…従来例の第１端部塞ぎ材、１４４…従来例の第２端部塞ぎ材、２００…ストッパー、２０１…係合張り出し部、２０２…切欠部、２０３…凹面部、３００…端塞ぎ材、３０１…サイド片、３０１Ａ…取り外し用係止孔、３０２…上板部、３０３…開口部、３０５…当接片、３０６…前板部、３０７…小張り出し部。
【図１】
2008308986.tif 000003
【図２】
2008308986.tif 000004
【図３】
2008308986.tif 000005
【図４】
2008308986.tif 000006
【図５】
2008308986.tif 000007
【図６】
2008308986.tif 000008
【図７】
2008308986.tif 000009
【図８】
2008308986.tif 000010
【図９】
2008308986.tif 000011
【図１０】
2008308986.tif 000012
【図１１】
2008308986.tif 000013
【図１２】
2008308986.tif 000014
【図１３】
2008308986.tif 000015
【図１４】
2008308986.tif 000016
【図１５】
2008308986.tif 000017
【図１６】
2008308986.tif 000018
【図１７】
2008308986.tif 000019
【図１８】
2008308986.tif 000020
【図１９】
2008308986.tif 000021
【図２０】
2008308986.tif 000022
【図２１】
2008308986.tif 000023
【図２２】
2008308986.tif 000024
【図２３】
2008308986.tif 000025
【図２４】
2008308986.tif 000026
【図２５】
2008308986.tif 000027
【図２６】
2008308986.tif 000028
【図２７】
2008308986.tif 000029
【図２８】
2008308986.tif 000030
【図２９】
2008308986.tif 000031
【図３０】
2008308986.tif 000032
【図３１】
2008308986.tif 000033
【図３２】
2008308986.tif 000034
【図３３】
2008308986.tif 000035
【図３４】
2008308986.tif 000036
【図３５】
2008308986.tif 000037
【図３６】
2008308986.tif 000038
【図３７】
2008308986.tif 000039
【図３８】
2008308986.tif 000040
【図３９】
2008308986.tif 000041
【図４０】
2008308986.tif 000042
【図４１】
2008308986.tif 000043
【図４２】
2008308986.tif 000044
【図４３】
2008308986.tif 000045
【図４４】
2008308986.tif 000046
【図４５】
2008308986.tif 000047
【図４６】
2008308986.tif 000048
【図４７】
2008308986.tif 000049
【図４８】
2008308986.tif 000050
【図４９】
2008308986.tif 000051
【図５０】
2008308986.tif 000052
【図５１】
2008308986.tif 000053
【図５２】
2008308986.tif 000054
【図５３】
2008308986.tif 000055
【図５４】
2008308986.tif 000056
【図５５】
2008308986.tif 000057
【図５６】
2008308986.tif 000058
【図５７】
2008308986.tif 000059